(57)【要約】【課題】サッシの本体部材の構造が複雑になることを抑制しつつ、屋内側に水が浸水する恐れを軽減させる。【解決手段】左右方向に間隔をあけて建物の躯体に固定された縦材と、縦材に取り付けられ、建物の外面又は内面を構成するサッシと、縦材に取り付けられ、サッシと左右方向に並んで配置され、サッシとともに建物の外面又は内面を構成するパネル又は他のサッシと、左右方向において、サッシと、パネル又は他のサッシとの間に配置された止水部材と、を有し、左右方向において、止水部材の一方側にサッシが配置され、他方側にパネル又は他のサッシが配置されており、サッシは、開口部を有する本体部材と、本体部材の他方側に設けられたサイド部材を備え、パネルの一方側のパネル端部、又は他のサッシの一方側の他のサッシ端部は、止水部材と当接するパネル側当接部又は他のサッシ側当接部を備え、サイド部材の他方側のサイド部材端部は、止水部材と当接するサッシ側当接部を備える。【選択図】図５
2020109239.tif 000002
【特許請求の範囲】
【請求項１】
左右方向に間隔をあけて建物の躯体に固定された縦材と、
前記縦材に取り付けられ、前記建物の外面又は内面を構成するサッシと、
前記縦材に取り付けられ、前記サッシと前記左右方向に並んで配置され、前記サッシとともに前記建物の外面又は内面を構成するパネル又は他のサッシと、
前記左右方向において、前記サッシと、前記パネル又は前記他のサッシとの間に配置された止水部材と、
を有し、
前記左右方向において、前記止水部材の一方側に前記サッシが配置され、他方側に前記パネル又は前記他のサッシが配置されており、
前記サッシは、開口部を有する本体部材と、前記本体部材の前記他方側に設けられたサイド部材を備え、
前記パネルの前記一方側のパネル端部、又は前記他のサッシの前記一方側の他のサッシ端部は、前記止水部材と当接するパネル側当接部又は他のサッシ側当接部を備え、
前記サイド部材の前記他方側のサイド部材端部は、前記止水部材と当接するサッシ側当接部を備える
ことを特徴とする建物の壁構造。
【請求項２】
請求項１に記載の建物の壁構造であって、
前記止水部材は、弾性部材と、前記弾性部材を支持する支持部材を備え、
前記支持部材は、前記左右方向の両側に、屋外側に折れ曲がった一対の折れ曲がり部を備え、
前記一対の折れ曲がり部の間に前記弾性部材が設けられ、
前記パネル側当接部又は他のサッシ側当接部、及び前記サッシ側当接部は、前記弾性部材と当接している
ことを特徴とする建物の壁構造。
【請求項３】
請求項１又は請求項２に記載の建物の壁構造であって、
前記パネル端部又は他のサッシ端部は、前記左右方向の前記一方側に突出し、先端部が屋内側に屈曲したパネル側屈曲部又は他のサッシ側屈曲部を備え、
前記サイド部材端部は、前記左右方向の前記他方側に突出し、先端部が屋内側に屈曲したサッシ側屈曲部を備え、
前記パネル側当接部又は前記他のサッシ側屈曲部は、前記パネル側屈曲部の先端部又は前記他のサッシ側屈曲部の先端部であり、
前記サッシ側当接部は、前記サッシ側屈曲部の先端部である
ことを特徴とする建物の壁構造。
【請求項４】
請求項１から請求項３のいずれか１項に記載の建物の壁構造であって、
前記サッシの上端部は、前記サッシの上側に配設される他のパネルの下端部によって覆われ、
前記サッシ側当接部は、前記他のパネルの下端より下側に設けられている
ことを特徴とする建物の壁構造。
【請求項５】
請求項４に記載の建物の壁構造であって、
前記サイド部材の上端部に切欠き部が設けられ、
前記切欠き部が前記他のパネルの下端部によって覆われる
ことを特徴とする建物の壁構造。
【請求項６】
請求項１から請求項５のいずれか１項に記載の建物の壁構造であって、
前記サッシの上端部にシーリング材が設けられ、
前記サッシの上端部において、前記シーリング材は、前記本体部材の前記他方側の端部の屋外側の面から、前記サイド部材の上端部の屋外側の面及び前記他方側の面までを覆い、且つ、前記サッシの上端部と前記他のパネルの下端部との間で挟まれる
ことを特徴とする建物の壁構造。
【請求項７】
建物の躯体に固定された縦材に取り付けられ、前記建物の外面又は内面を構成するサッシであって、
開口部を有する本体部材と、前記本体部材より左右方向の一方側に設けられたサイド部材を備え、
前記サイド部材の前記一方側のサイド部材端部は、前記左右方向において前記サッシよりも前記一方側に設けられた止水部材と当接するサッシ側当接部を備える
ことを特徴とするサッシ。
【請求項８】
左右方向に間隔をあけて建物の躯体に縦材を固定し、
前記建物の外面又は内面を構成するサッシを前記縦材に取り付け、
前記サッシとともに前記建物の外面又は内面を構成するパネル又は他のサッシを前記サッシと前記左右方向に並んで配置し、前記縦材に取り付ける建物の壁の構築方法であって、
前記左右方向において、前記サッシと前記パネル又は前記他のサッシとの間に止水部材を配置し、
前記サッシを前記止水部材の前記左右方向の一方側に、前記パネル又は前記他のサッシを前記止水部材の前記左右方向の他方側に配置し、
前記サッシは、開口部を有する本体部材と、前記本体部材より前記左右方向の他方側に設けられたサイド部材を取り付け、
前記パネルの前記左右方向の一方側のパネル端部のパネル側当接部、又は前記他のサッシの前記左右方向の一方側の他のサッシ端部の他のサッシ側当接部を前記止水部材と当接させ、
前記サイド部材の前記左右方向の他方側のサイド部材端部のサッシ側当接部を前記止水部材に当接させる
ことを特徴とする建物の壁の構築方法。
【発明の詳細な説明】
【技術分野】
【０００１】
本発明は、建物の壁構造、サッシ及び建物の壁の構築方法に関する。
【背景技術】
【０００２】
建物の耐火性能及び断熱性能を確保するための断熱パネルと、建物の外壁の開口部に窓枠として用いられるサッシとで建物の外面を構成する建物構造体が知られている。例えば、特許文献１のように、略同じ形状を有する断熱パネルとサッシを、上下方向及び左右方向から組み合わせることで建物の壁構造を構成することが開示されている。
【先行技術文献】
【特許文献】
【０００３】
【特許文献１】特開２０１３−５０００９号公報
【発明の概要】
【発明が解決しようとする課題】
【０００４】
しかしながら、サッシについて、屋内側に水が浸水する恐れを軽減させるために形状の異なるパネルや他のサッシと同じような構成で止水部材に当接させることが望ましいが、サッシの形状をパネルや他のサッシの形状と同じにしようとすると、サッシの構造が複雑となってしまうという課題がある。
【０００５】
本発明は、かかる課題に鑑みてなされたものであり、その目的とするところは、サッシの本体部材の構造が複雑になることを抑制しつつ、屋内側に水が浸水する恐れを軽減させる建物の壁構造、サッシ及び建物の壁の構築方法を提供することにある。
【課題を解決するための手段】
【０００６】
かかる目的を達成するために本発明の建物の壁構造は、左右方向に間隔をあけて建物の躯体に固定された縦材と、前記縦材に取り付けられ、前記建物の外面又は内面を構成するサッシと、前記縦材に取り付けられ、前記サッシと前記左右方向に並んで配置され、前記サッシとともに前記建物の外面又は内面を構成するパネル又は他のサッシと、前記左右方向において、前記サッシと、前記パネル又は前記他のサッシとの間に配置された止水部材と、を有し、前記左右方向において、前記止水部材の一方側に前記サッシが配置され、他方側に前記パネル又は前記他のサッシが配置されており、前記サッシは、開口部を有する本体部材と、前記本体部材の前記他方側に設けられたサイド部材を備え、前記パネルの前記一方側のパネル端部、又は前記他のサッシの前記一方側の他のサッシ端部は、前記止水部材と当接するパネル側当接部又は他のサッシ側当接部を備え、前記サイド部材の前記他方側のサイド部材端部は、前記止水部材と当接するサッシ側当接部を備えることを特徴とする建物の壁構造である。
【発明の効果】
【０００７】
本発明によれば、、サッシの本体部材にサイド部材を取り付けて、パネル又は他のサッシと同様に止水部材に当接するサッシ側当接部を設けることで、サッシの本体部材の構造が複雑になることを抑制しつつも、屋内側に水が侵入する恐れを軽減させることができる。
【図面の簡単な説明】
【０００８】
【図１】図１は、本発明の一実施形態に係る建物１０の外壁１２を見込み方向の外側から見た正面図である。
【図２】図２Ａは、図１中のＡ−Ａ矢視断面図である。図２Ｂは、図１中のＢ−Ｂ矢視断面図である。
【図３】図３Ａは、図１中のＣ−Ｃ矢視断面図である。図３Ｂは、図１中のＤ−Ｄ矢視断面図である。
【図４】図４は、建物１０の外壁１２の構造を説明するための部分斜視図である。
【図５】図５Ａは、本体部材２１０とサイド部材２５０とを分離させた状態のサッシ２００の斜視図である。図５Ｂは、サッシ２００の斜視図である。
【図６】図６は、サイド部材２５０について説明する図である。
【図７】図７Ａは、外壁１２の施工方法の一例を示す第１工程を説明する図である。図７Ｂは、第２工程を説明する図である。図７Ｃは、第３工程を説明する図である。
【発明を実施するための形態】
【０００９】
＝＝＝第１実施形態＝＝＝
以下、本発明の一実施形態に係る建物の壁構造について図面を参照して説明する。
各図において、左右方向とは、建物１０の外壁１２に沿った左右方向であり、上下方向とは建物１０の高さ方向をいう。また、見込み方向とは、左右方向及び上下方向と直交する方向をいう。
【００１０】
＜外壁１２の構造＞
図１は、本発明の一実施形態に係る建物の外壁を見込み方向の外側から見た正面図である。図１に示すように、建物１０の外壁１２は、縦材の一例である下地鉄骨５０の長手方向が、上下方向に沿うように配置され、建物の１０の基礎１４、スラブや梁等の躯体に左右方向に間隔を空けて固定されている。下地鉄骨５０の屋内側には、複数の横材２０が配置されている（図７）。横材２０の長手方向が左右方向に沿っており、上下方向に略等間隔に配置され、下地鉄骨５０に取り付けられている。横材２０は必ずしも配置する必要はなく、または、任意の位置に配置するものであってもよい。また、縦材が躯体の一部を兼ねていてもよい。
【００１１】
建物１０の外面を構成するパネル１００と、パネル１００とともに建物の外面を構成するサッシ２００が下地鉄骨５０に取り付けられている。パネル１００とサッシ２００とが上下方向及び左右方向に複数配置されて、下地鉄骨５０に取り付けられることで、建物１０の外壁１２となる。建物１０においては、パネル１００と左右方向に並んで配置されたサッシ２００が少なくとも１つ設けられている。本実施形態において、複数のパネル１００は、それぞれ同じ形状を有し、複数のサッシ２００は、それぞれ同じ形状を有している。また、パネル１００とサッシ２００を屋外側から見た場合の外形は、略同じ大きさで、略同じ形状である。また、パネル１００は、左右方向の中央について左右対称な形状を有し、サッシ２００は、左右方向の中央について左右対称な形状を有する。さらに、パネル１００の見込み方向の長さとサッシ２００の見込み方向の長さは略同じであるため、下地鉄骨５０に取り付けた状態のパネル１００及びサッシ２００は、略面一となる。
【００１２】
下地鉄骨５０は、上下方向と直交する断面に矩形状の空間を有した略直方体の鉄骨部材である。下地鉄骨５０の形状はこれに限られず、例えば、Ｈ形鋼等の形状であってもよい。
【００１３】
パネル１００は、平面視略矩形状で、建物外部の壁面を構成する外壁パネルの一例である。パネル１００は、それぞれ、鋼板からなる外材１１２と内材１１４との間にロックウールや発泡性剛性樹脂等の断熱材１１６が芯材として挟まれた金属断熱パネルである。
【００１４】
サッシ２００は、平面視略矩形状であり、建物１０の外壁開口部に固定窓（嵌め殺し窓、ＦＩＸ窓）として設けられている。サッシ２００は、アルミニウム合金等の金属の押し出し成形によって形成されており、矩形状に組み合わされる。サッシ２００は、開口部２１２を備えた窓枠を構成する本体部材２１０と、サイド部材２５０を有する。サイド部材２５０については後述する。開口部２１２には、２枚のガラスパネル２１４、２１６が嵌め込まれている。
【００１５】
＜＜パネル１００とサッシ２００＞＞
図２Ａは、図１中のＡ−Ａ矢視断面図であり、図２Ｂは、図１中のＢ−Ｂ矢視断面図である。図３Ａは、図１中のＣ−Ｃ矢視断面図であり、図３Ｂは、図１中のＤ−Ｄ矢視断面図である。図２Ａでは、サッシ２００の上側に上側パネル１０１、サッシ２００の下側に下側パネル１０２が配置され、図２Ｂでは、中央のパネル１００より上側に上側パネル１０１、中央のパネル１００より下側に下側パネル１０２が配置されている。また、図３Ａでは、左側にパネル１００、右側にサッシ２００が配置され、図３Ｂでは、左側に左側パネル１０５、右側に右側パネル１０６が配置されている。
【００１６】
図２Ｂに示すように、パネル１００は、上端部にパネル側凸部１２０を有し、下端部にパネル側凹部１３０を有する。パネル側凸部１２０は、パネル１００の上下方向の中央部の見込み方向の厚みよりも薄い。パネル側凹部１３０は、下側パネル１０２のパネル側凸部１２０、又はサッシ側凸部２２０を係合（嵌合）させるための窪みである。つまり、パネル側凸部１２０及びサッシ側凸部２２０は、上から重ねられるパネル側凹部１３０又はサッシ側凹部２３０によって覆われた状態となることで、パネル１００及びサッシ２００は、パネル１００又はサッシ２００と係合した状態となる。パネル１００は、パネル側凸部１２０の屋外側から打ち込まれたドリルビス等の固定具６０によって下地鉄骨５０に固定されている。固定具６０は、上側から重ねられたサッシ２００の下端部によって覆われるため、屋外側から視認されない状態となる。
【００１７】
図２Ａに示すように、サッシ２００は、上端部にサッシ側凸部２２０を有し、下端部にサッシ側凹部２３０を有する。サッシ側凸部２２０は、サッシ２００の上下方向の中央部の見込み方向の厚みよりも薄い。サッシ側凹部２３０は、パネル側凸部１２０を下側から係合（嵌合）させるための窪みである。つまり、サッシ側凸部２２０は、上から重ねられる上側パネル１０１のパネル側凹部１３０によって覆われた状態となることで、サッシ２００は、パネル１００と係合した状態となる。同様に、サッシ側凹部２３０は、下から重ねられる下側パネル１０２のパネル側凸部１２０に係合させることができる。サッシ２００は、サッシ側凸部２２０の屋内側から押し込まれたボルト１５と、これに対応したナット１６等によって下地鉄骨５０に固定されている。
【００１８】
なお、図２Ｂに示すパネル１００は、図２Ａに示すサッシ２００の上側から又は下側から係合可能であり、図２Ａに示すサッシ２００は、図２Ｂに示すパネル１００の上側から又は下側から係合可能である。つまり、各パネル１００のパネル側凸部１２０の外形とサッシ２００のサッシ側凸部２２０の外形が略同形状であり、各パネル１００のパネル側凹部１３０の外形とサッシ２００のサッシ側凹部２３０の外形が略同形状である。
【００１９】
上下方向に隣接するパネル１００同士の間、及び上下方向に隣接するパネル１００とサッシ２００との間には、ゴム製のパッキン１４４や適宜シール部材（不図示）が設けられている。
【００２０】
パネル１００とサッシ２００は左右方向に隣接し（図３Ａ）、左側パネル１０５と右側パネル１０６は、左右方向に隣接している（図３Ｂ）。パネル１００とサッシ２００との間、及び左側パネル１０５と右側パネル１０６との間には、見込み方向の屋内側から順に、第１補助止水部材１６５、止水部材１６０、第２補助止水部材１６６が配置され、第２補助止水部材１６６の屋外側から適宜シーリング材（不図示）が設けられている。第１補助止水部材１６５及び第２補助止水部材１６６は、シリカ、カルシア及びマグネシアを原料としたセラミック製の止水部材であり、断熱材でもある。止水部材１６０は、ＥＰＤＭ等のゴムからなる弾性部材１６１と、弾性部材１６１を支持するアルミニウム合金等からなる金属製の支持部材１６２を有している。支持部材１６２は、左右方向の両側に、屋外側に向かって折れ曲がった一対の折れ曲がり部を備えている。この一対の折れ曲がり部の間に弾性部材１６１が設けられており、支持部材１６２が弾性部材１６１を屋内側から抱えるような状態で支持している。
【００２１】
図４は、建物１０の外壁１２の構造を説明するための部分斜視図である。図４において、左右方向における他方側のパネル１００や第２補助止水部材１６６等は省略して示している。また、便宜上、上側のサッシ２００と下側のパネル１００との間に間隔を空けた状態を示している。
【００２２】
図３Ａに示すように、パネル１００の左右方向の一方側（図３Ａにおける右側）の端部は止水部材１６０と当接しており、サッシ２００の左右方向の他方側（図３Ｂ）の端部も止水部材１６０と当接している。具体的には、パネル１００は一方側の端部にパネル側当接部１５５を備え、サッシ２００は他方側の端部にサッシ側当接部２５５を備え、それぞれパネル側当接部１５５とサッシ側当接部２５５が、同じような形態で弾性部材１６１に向かって押し込むように当接している。この止水部材１６０に当接したパネル側当接部１５５とサッシ側当接部２５５によって、屋内側に水が浸入する恐れを軽減させる。
【００２３】
同様に、図３Ｂに示すように、左側パネル１０５の左右方向の一方側の端部と、右側パネル１０６の左右方向の他方側の端部は、止水部材１６０と当接している。左側パネル１０５の一方側の端部のパネル側当接部１５５と、右側パネル１０６の他方側のパネル側当接部１５５を、弾性部材１６１に向かって押し込むように当接させることで、屋内側に水が浸入する恐れを軽減させる。
【００２４】
図３Ａ及び図４に示すように、サッシ側当接部２５５は、サッシ２００のサイド部材２５０の左右方向の端部、且つ、見込み方向の屋内側の端部である。つまり、サッシ２００のうちサイド部材２５０の一部をサッシ側当接部２５５として止水部材１６０に当接させることで、隣接するパネル１００のパネル側当接部１５５と同じ形態で当接させやすくなる。
【００２５】
一般的に、形状の異なるパネル１００とサッシ２００とをともに建物１０の外壁１２を構成するように取り付ける場合、パネル１００と同様にサッシ２００を止水部材１６０に当接させようとすると、本体部材２１０の構造が複雑になってしまう。仮に、サッシ２００がサイド部材２５０を有さない場合には、サッシ２００自体の構造を複雑にする必要が生じてしまう。この場合、サッシ２００や本体部材２１０の製造には、複雑な金型、複雑な製造工程や大がかりな装置を必要とするため、製造コストや製造期間が膨らんでしまう恐れがあった。
【００２６】
この点、サイド部材２５０は、本体部材２１０とは別の部材とすることで、本体部材２１０の構造の複雑化を抑制することが可能となる。また、サイド部材２５０を本体部材２１０より小さな部材として形成することで、サイド部材２５０の製造も比較的容易になる。
【００２７】
図５Ａは、本体部材２１０とサイド部材２５０とを分離させた状態のサッシ２００の斜視図である。図５Ｂは、サッシ２００の斜視図である。図６は、サイド部材２５０について説明する図である。図６では、図５Ａ中のＸから見たサイド部材２５０を中心に配置しており、この中心の図を基準として、上下左右から見た図を示している。図５Ａ等においては、左右方向の他方側について説明するが、サイド部材２５０は、本体部材２１０の左右方向の両端部に取り付けることができる。
【００２８】
サイド部材２５０の上下方向の長さは、本体部材２１０の上下方向の長さと略同じであり、サイド部材２５０の左右方向の長さ及び見込み方向の長さは、本体部材２１０の左右方向の長さ及び見込み方向の長さよりもそれぞれ短い。左右方向の他方側の端部で、且つ、見込み方向の屋内側の端部にサッシ側当接部２５５を有する。また、左右方向の他方側の端部で、且つ、見込み方向の屋外側の端部に本体部当接部２５６を有する。サイド部材２５０の上端部には、その一部分が切欠かれ、左右方向の長さが短くなった切欠き部２５９が設けられている。切欠き部２５９は、上側から重ねられるパネル（他のパネル）１００（又は他のサッシ２００）の下端部によって覆われ、サッシ側当接部２５５は、上側から重ねられるパネル１００の下端より下側に設けられる。つまり、切欠き部２５９を設けることで、サッシ側凸部２２０の形状をパネル側凸部１２０の形状に近づけることができ、パネル側凹部１３０（又はサッシ側凹部２３０）と係合させやすくなる。さらに、左右方向の一方側の端部の面に、本体部材２１０に取り付けるための固定部２５７を有する。図５Ｂに示すように、サイド部材２５０の本体部当接部２５６を、本体部材２１０の左右方向の端部で、且つ、見込み方向の屋内側の端部であるサイド部当接部２１８と当接させた状態で、固定部２５７に設けられた複数の孔２５８（図６参照）にボルト（不図示）等を差し込んで固定することで、サイド部材２５０を本体部材２１０に取り付けた状態のサッシ２００となる。
【００２９】
パネル１００のパネル側当接部１５５が止水部材１６０に当接する構造と同じような構成となるように、本体部材２１０にサイド部材２５０を取り付けて、サイド部材２５０にサッシ側当接部２５５を設ける。これによって、サッシ２００のうち、本体部材２１０の構造が複雑になってしまう恐れを抑制しつつも、パネル側当接部１５５と同様にサッシ側当接部２５５を止水部材１６０に当接させることができるため、屋内に水が浸入する恐れを軽減させることができる。
【００３０】
さらに、パネル側当接部１５５の上下方向の位置と、サッシ側当接部２５５の上下方向の位置が揃っていて、且つ、パネル側当接部１５５の見込み方向の位置と、サッシ側当接部２５５の見込み方向の位置が揃っていることがより好ましい。つまり、止水部材１６０に対して、パネル１００とサッシ２００とが、止水部材１６０に対して同じように当接した状態とすることができるため、パネル１００側、又はサッシ２００側のいずれか一方側から水が浸入してしまう恐れを軽減させることができる。
【００３１】
また、図３Ａ及び図３Ｂに示すように、パネル１００は一方側の端部にパネル側屈曲部１４０を備えることが好ましい。パネル側屈曲部１４０は、先端部が屋内側に屈曲した部分であり、パネル１００の左右方向の一方側の端部が略Ｌ字状となっている。同様に、サッシ２００は、左右方向の一方側の端部にサッシ側屈曲部２４０を備えることが好ましい。サッシ側屈曲部２４０は、先端部が屋内側に屈曲した部分であり、サッシ２００側の左右方向の一方側の端部が略Ｌ字状となっている。この外壁１２のように、パネル側屈曲部１４０の先端部にパネル側当接部１５５を備え、サッシ側屈曲部２４０の先端部にサッシ側当接部２５５を備えることが好ましい。これによって、パネル側当接部１５５及びサッシ側当接部２５５を止水部材１６０に当接させた状態を維持させやすくなるため、屋内に水が浸入する恐れを軽減させやすくなる。
【００３２】
図４に示すように、サッシ２００の上端部においては、サッシ側凸部２２０の角にＥＰＤＭ等のゴム製の止水部材１７１が設けられていることが好ましい。サッシ２００の上端部において、止水部材１７１が、本体部材２１０の左右方向の他方側の端部の屋外側の面から、サイド部材２５０の上端部の屋外側の面及び他方側の面までを覆い、且つ、サッシ２００の上端部と他のパネル１００（上側パネル１０１）の下端部との間で挟まれるように設けられている。つまり、サッシ２００と同様に、パネル１００の上端部においても、パネル側凸部１２０の角に止水部材１７１がパネルの上端部と前記他のサッシの下端部との間で挟まれるように設けられている。これによって、上下方向に隣接するパネル１００とサッシ２００との境界から水が浸入してしまう恐れを軽減させることができる。
また、本体部材２１０とサイド部材２５０との境界を跨ぐシーリング材１７０が設けられていることがより好ましい。止水部材１７１のさらに外側からシーリング材１７０を本体部材２１０とサイド部材２５０との境界を跨ぐように設けることで、本体部材２１０とサイド部材２５０との境界から水が浸入する恐れを軽減させることができる。
【００３３】
＜施工方法＞
パネル１００とサッシ２００とを上下方向及び左右方向に複数個配置して、建物１０の外壁１２を施工する壁の構築方法について説明する。図７Ａは、外壁１２の施工方法の一例を示す第１工程を説明する図である。図７Ｂは、第２工程を説明する図である。図７Ｃは、第３工程を説明する図である。なお、本施工方法（建物の壁の構築方法）は、一例であって、これに限定されない。
【００３４】
まず、図７Ａのように、左右方向に互いに離間した複数の下地鉄骨５０に、複数の横材２０を上下方向に互いに離間させた状態で配置する（第１工程）。続いて図７Ｂのように、下側から順に、既に配置されたパネル１００の上端部を覆うように、パネル１００を上側から重ねて取り付ける（第２工程）。本体部材２１０にサイド部材２５０を取り付けてサッシ２００を形成する。そして、図７Ｃのように、止水部材１６０にパネル側当接部１５５とサッシ側当接部２５５を当接させて、所定の位置に、パネル１００やサッシ２００の上側に複数のサッシ２００及びパネル１００を取り付けていく（第３工程）。
【００３５】
＝＝＝その他の実施の形態＝＝＝
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３６】
上述の実施形態においては、建物の外壁構造として説明をしたが、これに限られない。例えば、建物の内壁構造に適用してもよい。つまり、内壁用のパネルと共に建物内部の壁面を構成するサッシであってもよい。
【００３７】
さらに、上述の実施形態では、サッシ２００は、固定窓であったが、これに限られない。例えば、突出し（排煙・換気）機構を有する窓や、ブラインド状の羽板（桟）を取り付けて固定することで、外部に対して目隠しをしながら換気ができるガラリ（通気口）であってもよい。また、サッシ２００は、必ずしも２枚のガラスを有している必要はなく、単板ガラスや三層ガラス等の任意の枚数であってもよい。
【００３８】
上述の実施形態では、パネル１００とパネル１００とを上下方向に係合させた状態と、サッシ２００とパネル１００とを上下方向に係合させた状態について説明したが、サッシ２００とサッシ２００とを上下方向に係合させるものであってもよい。この場合であっても、サッシ２００の本体部材２１０の構造が複雑になることを抑制しつつも、屋内側に水が浸水する恐れを軽減させることができる。また、上述の実施形態においては、パネル１００とパネル１００とを左右方向に隣接して配置した状態と、サッシ２００とパネル１００とを左右方向に隣接して配置した状態について説明したが、サッシ２００とサッシ（「他のサッシ」ともいう。）とを左右方向に隣接して配置するものであってもよい。他のサッシは、パネル１００の構成と同様に、左右方向の一方側の他のサッシ端部に、止水部材１６０と当接する他のサッシ側当接部を備える。この場合であっても、サッシ２００とパネル１００とを隣接して配置した場合と同様に、サッシ２００の本体部材２１０の構造が複雑になることを抑制しつつも、屋内側に水が浸水する恐れを軽減させることができる。なお、パネル１００を有さないサッシ２００で構成された建物の壁構造であってもよい。
【００３９】
本実施形態には、少なくとも以下の発明が含まれる。
左右方向に間隔をあけて建物の躯体に固定された縦材と、前記縦材に取り付けられ、前記建物の外面又は内面を構成するサッシと、前記縦材に取り付けられ、前記サッシと前記左右方向に並んで配置され、前記サッシとともに前記建物の外面又は内面を構成するパネル又は他のサッシと、前記左右方向において、前記サッシと、前記パネル又は前記他のサッシとの間に配置された止水部材と、を有し、前記左右方向において、前記止水部材の一方側に前記サッシが配置され、他方側に前記パネル又は前記他のサッシが配置されており、前記サッシは、開口部を有する本体部材と、前記本体部材の前記他方側に設けられたサイド部材を備え、前記パネルの前記一方側のパネル端部、又は前記他のサッシの前記一方側の他のサッシ端部は、前記止水部材と当接するパネル側当接部又は他のサッシ側当接部を備え、前記サイド部材の前記他方側のサイド部材端部は、前記止水部材と当接するサッシ側当接部を備えることを特徴とする建物の壁構造である。
【００４０】
サッシと、形状の異なるパネル又は他のサッシがともに建物の外面又は内面を構成するように取り付けられる場合、パネル又は他のサッシと同様にサッシを止水部材に当接させようとすると、サッシの本体部材の構造が複雑になる。この点、このような建物の壁構造によれば、サッシの本体部材にサイド部材を取り付けて、パネル又は他のサッシと同様に止水部材に当接するサッシ側当接部を設けることで、サッシの本体部材の構造が複雑になることを抑制しつつも、屋内側に水が侵入する恐れを軽減させることができる。
【００４１】
かかる建物の壁構造であって、前記止水部材は、弾性部材と、前記弾性部材を支持する支持部材を備え、前記支持部材は、前記左右方向の両側に、屋外側に折れ曲がった一対の折れ曲がり部を備え、前記一対の折れ曲がり部の間に前記弾性部材が設けられ、前記パネル側当接部又は他のサッシ側当接部、及び前記サッシ側当接部は、前記弾性部材と当接していることを特徴とする。
【００４２】
このような建物の壁構造によれば、止水部材が一対の折れ曲がり部と弾性部材を備える場合であっても、パネル又は他のサッシと同様に弾性部材に当接するサッシ側当接部を設けることで、本体部材の構造が複雑になることを抑制しつつも、屋内側に水が侵入する恐れを軽減させることができる。
【００４３】
かかる建物の壁構造であって、前記パネル端部又は他のサッシ端部は、前記左右方向の前記一方側に突出し、先端部が屋内側に屈曲したパネル側屈曲部又は他のサッシ側屈曲部を備え、前記サイド部材端部は、前記左右方向の前記他方側に突出し、先端部が屋内側に屈曲したサッシ側屈曲部を備え、前記パネル側当接部又は前記他のサッシ側屈曲部は、前記パネル側屈曲部の先端部又は前記他のサッシ側屈曲部の先端部であり、前記サッシ側当接部は、前記サッシ側屈曲部の先端部であることを特徴とする。
【００４４】
このような建物の壁構造によれば、パネル側屈曲部又は他のサッシ側屈曲部が止水部材に当接する場合であっても、サイド部材にサッシ側屈曲部を設けることで、サッシの本体部材の構造が複雑になることを抑制しつつも、屋内側に水が侵入する恐れを軽減させることができる。
【００４５】
かかる建物の壁構造であって、前記サッシの上端部は、前記サッシの上側に配設される他のパネルの下端部によって覆われ、前記サッシ側当接部は、前記他のパネルの下端より下側に設けられていることを特徴とする。
【００４６】
このような建物の壁構造によれば、他のパネルの下端部より下側にサッシ側当接部を設けることで、サッシの本体部材の構造が複雑になることを抑制しつつも、屋内側に水が侵入する恐れを軽減させることができる。
【００４７】
かかる建物の壁構造であって、前記サイド部材の上端部に切欠き部が設けられ、前記切欠き部が前記他のパネルの下端部によって覆われることを特徴とする。
【００４８】
このような建物の壁構造によれば、他のパネルの下端部と嵌合するサイド部材の上端部を、他のパネルの下端部と嵌合するパネルの上端部の構造により近づけることができる。
【００４９】
かかる建物の壁構造であって、前記サッシの上端部にシーリング材が設けられ、前記サッシの上端部において、前記シーリング材は、前記本体部材の前記他方側の端部の屋外側の面から、前記サイド部材の上端部の屋外側の面及び前記他方側の面までを覆い、且つ、前記サッシの上端部と前記他のパネルの下端部との間で挟まれることを特徴とする。
【００５０】
このような建物の壁構造によれば、本体部材とサイド部材との間への侵入を軽減させるため、屋内側に水が侵入する恐れをより軽減させることができる。
【００５１】
建物の躯体に固定された縦材に取り付けられ、前記建物の外面又は内面を構成するサッシであって、開口部を有する本体部材と、前記本体部材より左右方向の一方側に設けられたサイド部材を備え、前記サイド部材の前記一方側のサイド部材端部は、前記左右方向において前記サッシよりも前記一方側に設けられた止水部材と当接するサッシ側当接部を備えることを特徴とするサッシである。
【００５２】
サッシと、形状の異なるパネル又は他のサッシがともに建物の外面又は内面を構成するように取り付けられる場合、パネル又は他のサッシと同様にサッシを止水部材に当接させようとすると、サッシの本体部材の構造が複雑になる。この点、このようなサッシによれば、サッシの本体部材にサイド部材を取り付けて、パネル又は他のサッシと同様に止水部材に当接するサッシ側当接部を設けることで、サッシの本体部材の構造が複雑になることを抑制しつつも、屋内側に水が侵入する恐れを軽減させることができる。
【００５３】
左右方向に間隔をあけて建物の躯体に縦材を固定し、前記建物の外面又は内面を構成するサッシを前記縦材に取り付け、前記サッシとともに前記建物の外面又は内面を構成するパネル又は他のサッシを前記サッシと前記左右方向に並んで配置し、前記縦材に取り付ける建物の壁の構築方法であって、前記左右方向において、前記サッシと前記パネル又は前記他のサッシとの間に止水部材を配置し、前記サッシを前記止水部材の前記左右方向の一方側に、前記パネル又は前記他のサッシを前記止水部材の前記左右方向の他方側に配置し、前記サッシは、開口部を有する本体部材と、前記本体部材より前記左右方向の他方側に設けられたサイド部材を取り付け、前記パネルの前記左右方向の一方側のパネル端部のパネル側当接部、又は前記他のサッシの前記左右方向の一方側の他のサッシ端部の他のサッシ側当接部を前記止水部材と当接させ、前記サイド部材の前記左右方向の他方側のサイド部材端部のサッシ側当接部を前記止水部材に当接させることを特徴とする建物の壁の構築方法である。
【００５４】
サッシと、形状の異なるパネル又は他のサッシがともに建物の外面又は内面を構成するように取り付けられる場合、パネル又は他のサッシと同様にサッシを止水部材に当接させようとすると、サッシの本体部材の構造が複雑になる。この点、このような建物の壁の構築方法によれば、サッシの本体部材にサイド部材を取り付けて、パネル又は他のサッシと同様に止水部材に当接するサッシ側当接部を設けることで、サッシの本体部材の構造が複雑になることを抑制しつつも、屋内側に水が侵入する恐れを軽減させることができる。
【符号の説明】
【００５５】
１０  建物、  １２  外壁、  １４  基礎、  ２０  横材、  ５０  下地鉄骨（縦材）、  ６０  固定具、  １００  パネル、  １０１  上側パネル（他のパネル）、  １０２  下側パネル、  １０５  左側パネル、  １０６  右側パネル、  １１２  外材、  １１４  内材、  １２０  パネル側凸部、  １３０  パネル側凹部、  １４０  パネル側屈曲部、  １４２  シール部材、  １４４  パッキン、  １５５  パネル側当接部、  １６０  止水部材、  １６１  弾性部材、  １６２  支持部材、  １６５  第１補助止水部材、  １６６  第２補助止水部材、  １７０  シーリング材、  １７１  止水部材、  ２００  サッシ、  ２１０  本体部材、  ２２０  サッシ側凸部、  ２３０  サッシ側凹部、  ２１２  開口部、  ２１４、２１６  ガラスパネル、  ２１８  サイド部当接部、  ２４０  サッシ側屈曲部、  ２５０  サイド部材、  ２５５  サッシ側当接部、  ２５６  本体部当接部、  ２５７  固定部、  ２５８  孔、  ２５９  切欠き部
【図１】
2020109239.tif 000003
【図２】
2020109239.tif 000004
【図３】
2020109239.tif 000005
【図４】
2020109239.tif 000006
【図５】
2020109239.tif 000007
【図６】
2020109239.tif 000008
【図７】
2020109239.tif 000009